(57)【要約】【課題】スポット照明及び全般照明の双方が可能であり、照明効果の多様性を実現できるとともに、グレアを抑制できる照明器具を提供することを目的とする。【解決手段】器具本体１と、この器具本体１に設けられ、光源１０を有するスポット照射光源部３と、このスポット照射光源部３の周囲に設けられた反射手段５と、前記スポット照射光源部３より下側に配設され、少なくとも前記反射手段５に向けて光を放射する光源１１を有する間接照射光源部４とを備える照明器具である。【選択図】図４
2010205482.tif 000002
【特許請求の範囲】
【請求項１】
器具本体と；
この器具本体に設けられ、光源を有するスポット照射光源部と；
このスポット照射光源部の周囲に設けられた反射手段と；
前記スポット照射光源部より下側に配設され、少なくとも前記反射手段に向けて光を放射する光源を有する間接照射光源部と；
を具備することを特徴とする照明器具。
【請求項２】
前記スポット照射光源部は、光源から出射される光を配光制御する配光制御部材を備えており、前記器具本体を構成する構成部品は、配光制御部材によって制御された照射光を遮光しないように配設されていることを特徴とする請求項１に記載の照明器具。
【請求項３】
前記スポット照射光源部は、光の照射方向を可変できるとともに、光の照射方向に応じて光出力が可変することを特徴とする請求項１又は請求項２に記載の照明器具。
【請求項４】
前記スポット照射光源部は、円筒状に形成されているとともに、反射手段には、スポット照射光源部が露出する開口部が形成されており、スポット照射光源部の軸方向と直交する断面において、スポット照射光源部の円筒の最大径の部分は、前記開口部から露出しないように配設されていること特徴とする請求項１乃至請求項３のいずれか一に記載の照明器具。
【請求項５】
前記スポット照射光源部及び間接照射光源部には、光源として発光色の異なるＬＥＤが直線状に交互に配列されており、スポット照射光源部に配列されたＬＥＤと、間接照射光源部に配列されたＬＥＤとの間において、同色のＬＥＤ同士が相対する位置関係とならないように配列されていることを特徴とする請求項１乃至請求項４のいずれか一に記載の照明器具。
【請求項６】
前記スポット照射光源部は、光源から出射される光を配光制御する配光制御部材を備えており、この配光制御部材には、光源と対向して拡散部材が配設されていることを特徴とする請求項１乃至請求項５のいずれか一に記載の照明器具。
【請求項７】
前記スポット照射光源部は、光源から出射される光を配光制御する配光制御部材を備えており、この配光制御部材は、光源に対して偏心移動可能であることを特徴とする請求項１乃至請求項６のいずれか一に記載の照明器具。
【発明の詳細な説明】
【技術分野】
【０００１】
本発明は、スポット照明及び室内全般の照明を行なうのに適する照明器具に関する。
【背景技術】
【０００２】
近年、ＬＥＤ等の発光素子を用いた照明器具が開発されている。例えば、複数のＬＥＤを配置した蛍光灯型ＬＥＤランプを取付けてなる蛍光灯型照明器具（特許文献１参照）やＬＥＤのその光の強い指向性から、ＬＥＤが照明器具本体の正面方向とは異なる方向に照射するようにし、輝度を下げ、必要とされる領域に必要とされる照度を得ることができるようにし、照射エリア外の方向から照明器具を見てもまぶしくないようにした照明器具（特許文献２参照）が提案されている。
【先行技術文献】
【特許文献】
【０００３】
【特許文献１】２００７−１２２９３３公報
【特許文献２】２００７−２６５６４６号公報
【発明の概要】
【発明が解決しようとする課題】
【０００４】
しかしながら、上記のような従来の照明器具では、ＬＥＤから出射される光の強い指向性からスポット照明的な使用にとどまり、例えば、室内全般の照明を行なうには適さず、さらに、ＬＥＤは輝度が高い点光源であるため、グレアが生じやすいという問題があった。
【０００５】
本発明は、上記課題に鑑みなされたもので、スポット照明及び全般照明の双方が可能であり、照明効果の多様性を実現できるとともに、グレアを抑制できる照明器具を提供することを目的とする。
【課題を解決するための手段】
【０００６】
請求項１に記載の照明器具は、器具本体と；この器具本体に設けられ、光源を有するスポット照射光源部と；このスポット照射光源部の周囲に設けられた反射手段と；前記スポット照射光源部より下側に配設され、少なくとも前記反射手段に向けて光を放射する光源を有する間接照射光源部と；を具備することを特徴とする。
【０００７】
本発明及び以下の発明において、特に指定しない限り用語の定義及び技術的意味は次による。スポット照射光源部の光源には、一般的には、指向性が強く、輝度の高い例えば、ＬＥＤ等の固体発光素子、ハロゲンランプや高輝度放電ランプが用いられる。反射手段は、反射体として独立した部材として設ける必要はなく、例えば、筐体によって構成してもよい。また、反射手段に向けて光を放射するとは、直接的又は間接的、例えば、多重的に光を反射させて結果的に反射手段に放射される場合であってもよい。
【０００８】
請求項２に記載の照明器具は、請求項１に記載の照明器具において、前記スポット照射光源部は、光源から出射される光を配光制御する配光制御部材を備えており、前記器具本体を構成する構成部品は、配光制御部材によって制御された照射光を遮光しないように配設されていることを特徴とする。器具本体を構成する構成部品とは、例えば、反射手段、間接照射光源部及び筐体等の構成部品を意味する。
【０００９】
請求項３に記載の照明器具は、請求項１又は請求項２に記載の照明器具において、前記スポット照射光源部は、光の照射方向を可変できるとともに、光の照射方向に応じて光出力が可変することを特徴とする。光の照射方向を可変できるとは、例えば、スポット照射光源部を回動等により仰角を変えることができることを意味する。また、これは遠隔的にリモコン送信器の操作により、又は手動により行うことができる。
【００１０】
請求項４に記載の照明器具は、請求項１乃至請求項３のいずれか一に記載の照明器具において、前記スポット照射光源部は、円筒状に形成されているとともに、反射手段には、スポット照射光源部が露出する開口部が形成されており、スポット照射光源部の軸方向と直交する断面において、スポット照射光源部の円筒の最大径の部分は、前記開口部から露出しないように配設されていること特徴とする。
【００１１】
請求項５に記載の照明器具は、請求項１乃至請求項４のいずれか一に記載の照明器具において、前記スポット照射光源部及び間接照射光源部には、光源として発光色の異なるＬＥＤが直線状に交互に配列されており、スポット照射光源部に配列されたＬＥＤと、間接照射光源部に配列されたＬＥＤとの間において、同色のＬＥＤ同士が相対する位置関係とならないように配列されていることを特徴とする。
【００１２】
請求項６に記載の照明器具は、請求項１乃至請求項５のいずれか一に記載の照明器具において、前記スポット照射光源部は、光源から出射される光を配光制御する配光制御部材を備えており、この配光制御部材には、光源と対向して拡散部材が配設されていることを特徴とする。
【００１３】
請求項７に記載の照明器具は、請求項１乃至請求項６のいずれか一に記載の照明器具において、前記スポット照射光源部は、光源から出射される光を配光制御する配光制御部材を備えており、この配光制御部材は、光源に対して偏心移動可能であることを特徴とする。
【発明の効果】
【００１４】
請求項１に記載の発明によれば、スポット照明及び全般照明の双方を実現することができ、また、グレアを抑制することができる。
【００１５】
請求項２に記載の発明によれば、請求項１に記載の発明の効果に加え、スポット照明の照射範囲を有効に確保することができる。
【００１６】
請求項３に記載の発明によれば、上記各請求項に記載の発明の効果に加え、スポット照明として容易に目的とする領域に光を照射することができ、また、光の照射方向を変えた場合においても、照射面の照度が一定となるように制御することができる。
【００１７】
請求項４に記載の発明によれば、上記各請求項に記載の発明の効果に加え、スポット照射光源部の円筒の最大径の部分は、反射手段の開口部から露出しないように配設されているので、グレアを軽減することができる。
【００１８】
請求項５に記載の発明によれば、上記各請求項に記載の発明の効果に加え、混光が促進され、均斉度を向上させることができる。
【００１９】
請求項６に記載の発明によれば、上記各請求項に記載の発明の効果に加え、光源と対向して拡散部材を設けたので、グレアを軽減することができる。
【００２０】
請求項７に記載の発明によれば、上記各請求項に記載の発明の効果に加え、配光状態を変えることができ、必要性に応じた配光状態を得ることができる。
【図面の簡単な説明】
【００２１】
【図１】本発明の第１の実施形態に係る照明器具を示す斜視図である。
【図２】同側面図である。
【図３】同側面を示す断面図である。
【図４】図２のＹ−Ｙ線に沿って切断して示す断面図である。
【図５】照明器具のブロック構成図である。
【図６】照明器具を分解して示す概略の斜視図である。
【図７】スポット照射光源部を拡大して示す断面図及び一部平面図である。
【図８】天井面に設置された照明器具の光の照射状態を示す説明図である。
【図９】照明器具の光の照射状態を示す断面図である。
【図１０】照明器具の輝度の状態を示すイメージ図である。
【図１１】比較例における照明器具の輝度の状態を示すイメージ図である。
【図１２】ＬＥＤの配列状態を模式的に示す平面図である。
【図１３】本発明の第２の実施形態に係る照明器具のスポット照射光源部を示す断面図及び一部平面図である。
【図１４】本発明の第３の実施形態に係る照明器具を示す説明図である。
【図１５】同動作を示すフローチャートである。
【図１６】本発明の第４の実施形態に係る照明器具を示す断面図である。
【図１７】同スポット照射光源部を拡大して示す断面図である。
【図１８】配光制御レンズの配光状態を示す説明図である。
【図１９】照明器具を示す断面図及び側面図である。
【図２０】配光制御レンズの偏心距離と照射面における光度との関係を示すグラフである。
【発明を実施するための形態】
【００２２】
以下、本発明の第１の実施形態に係る照明器具について図１乃至図１２を参照して説明する。各図において、同一又は相当部分には同一符号を付し、重複した説明は省略する。本実施形態の照明器具は、いわゆるタスク照明とアンビエント照明の双方を実現するもので、例えば、机等の作業場所のみタスク照明で必要な照度を得る一方、この照度よりも低いレベルの照度で部屋全体を全般照明のアンビエント照明で照明するのに適するものである。
【００２３】
図１乃至図４において、天井埋込み形の照明器具を示し、器具本体１は、略直方体形状をなしている。器具本体１は、一面が開口した直方体形状の筺体２と、この筺体２内に収納されたスポット照射光源部３、間接照射光源部４、反射手段としての反射板５及び点灯装置６と、スポット照射光源部３を回動する駆動装置７並びにリモコン送信器８とを備えている。筺体２は、板金製であり、背面側の中央部には、スポット照射光源部３が配設され、両側に軸受部２１を有する開口窓２２が形成され、また、一面の開口縁には、天井Ｃの埋込み穴に係止される化粧枠２３が取付けられている。なお、この一面の開口縁には、開口を覆う透光性のカバーを設けるようにしてもよい。
【００２４】
スポット照射光源部３は、長尺状で全体形状が円筒状に形成され、筺体２の開口窓２２を通してその一部が筺体２外へ突出するように筺体２内に収納されている。図６及び図７の参照を加えて示すように、スポット照射光源部３は、半円筒状の本体３１及び放熱部材３２と、この放熱部材３２に取付けられた基板３３と、この基板３３に実装された光源としての複数のＬＥＤ１０と、この複数のＬＥＤ１０と対向するように配設された配光制御部材３４と、前記本体３１に取付けられたカバー部材３５とを備えている。
【００２５】
本体３１は、ＰＢＴ等の耐熱性合成樹脂により形成され、内側に略直方体形状の収納空間を有し、下側には長方形状の照射開口部３１ａが形成されている。放熱部材３２は、熱伝導性が良好なアルミニウム材料で形成されており、放熱面積を増大するため軸方向と直交する方向に半円形状の多数の放熱フィン３２ａが設けられている。この放熱部材３２の下面には、基板３３が密着するように固着されている。
【００２６】
基板３３は、絶縁材であるガラスエポキシ樹脂で細長の略長方形状の平板からなり、表面側には銅箔で形成された配線パターンが施されている。また、適宜レジスト層が施されるようになっている。なお、基板３３の材料は、絶縁材とする場合には、放熱特性が比較的良好で、耐久性に優れたセラミック材料又は合成樹脂材料を適用できる。また、金属製とする場合は、アルミニウム等の熱伝導性が良好で放熱性に優れた材料を適用するのが好ましい。
【００２７】
ＬＥＤ１０は、表面実装型のＬＥＤパッケージであり、概略的にはセラミックスで形成された本体に配設されたＬＥＤチップと、このＬＥＤチップを封止するエポキシ系樹脂やシリコーン樹脂等のモールド用であって蛍光体が含有された透光性樹脂とから構成されている。なお、ＬＥＤは、チップ・オン・ボード方式で直接基板３３に実装するようにしてもよく、実装方式は、格別限定されるものではない。ここで、ＬＥＤ１０は、基板３３の長手方向に沿って直線状に実装されている。具体的には、２４個のＬＥＤ１０が実装されており、発光色の異なる白色タイプと電球色タイプのものが交互に配列されている。
【００２８】
配光制御部材３４は、ＰＢＴ等の耐熱性合成樹脂により形成され、基板３３側から本体３１の照射開口部３１ａ側に向かってテーパ状に約６０°の角度で拡開する複数の貫通孔が形成されており、この貫通孔が反射面部３４ａを構成している。反射面部３４ａは、１２個形成されており、１個の反射面部３４ａには、２個のＬＥＤ１０が対向して配置されるようになっている。したがって、１個の反射面部３４ａには、白色タイプと電球色タイプのＬＥＤ１０が対向して配置されている。カバー部材３５は、透光性のアクリル樹脂で形成され、本体３１の照射開口部３１ａを内側から閉塞するように取付けられている。
【００２９】
このようなスポット照射光源部３は、図６に代表して示すように、本体３１にカバー部材３５が取付けられ、配光制御部材３４が本体３１の収納空間に嵌入され、その上方から基板３３が固着された放熱部材３２が取付けられ、両端に支軸部材３６が取付けられて組合せられている。また、支軸部材３６は、筺体２の軸受部２１に回動可能に支持されるようになっている。さらに、筐体２の開口窓２２には、放熱部材３２の放熱フィン３２ａの一部が外方への突出を許容するように蓋部材２４が取付けられている。
【００３０】
駆動装置７は、例えば、モータによって構成され、箱状のケース内に収納されている。そして、モータの回転軸は、スポット照射光源部３と機械的に連結されており、モータの駆動によりスポット照射光源部３を所定角度で回動可能としている。なお、駆動装置７は、モータ及びこのモータの回転軸に連結される歯車やカム等によって構成してもよい。
【００３１】
次に、間接照射光源部４は、図４に代表して示すようにスポット照射光源部３の下側であって、筐体２の開口縁の両側内に配設されている。間接照射光源部４は、細長状をなし、基板４１と、この基板４１に実装された複数のＬＥＤ１１と、基板４１が取付けられる支持部材４２とを備えている。そして、基板４１は、ＬＥＤ１１の実装面が斜め上方、すなわち、ＬＥＤ１１から出射される光が反射板５に向けられるように支持部材４２に傾斜して取付けられている。また、基板４１及びＬＥＤ１１は、スポット照射光源部３と同様な構成であり、具体的には、基板４１に６４個のＬＥＤ１１が直線状に実装されており、発光色の異なる白色タイプと電球色タイプのものが交互に配列されている。なお、複数のＬＥＤ１１は、基板４１に複数列に亘って配設するようにしてもよい。
【００３２】
反射手段としての反射板５は、スポット照射光源部３の周囲に配設されており、湾曲した反射面５１を有し、板金を折曲して形成されている。反射面５１には、白色塗装等が施されており、間接照射光源部４から光が放射されることによって、その光を下方に反射するとともに、反射面５１の輝度が高まるようになっている。
【００３３】
さらに、筐体２の背面側には、点灯装置６が設けられている。点灯装置６は、スポット照射光源部３のＬＥＤ１０、間接照射光源部４のＬＥＤ１１を点灯制御するものであり、回路基板には、コンデンサやスイッチング素子としてのトランジスタ等の部品が実装されている。また、この点灯装置６からは、図示しないリード線が導出されており、ＬＥＤ１０、１１が実装された基板３３、４１や商用電源と電気的に接続されている。
【００３４】
リモコン送信器８は、赤外線式であり、その操作により赤外線信号を器具本体１側のリモコン信号受信部に送信し、スポット照射光源部３を回動して光の照射方向を変えたり、スポット照射光源部３及び間接照射光源部４のＬＥＤ１０、１１の点灯／消灯を制御したりする機能を有する。
【００３５】
図５に示すブロック構成図において、器具本体１には、リモコン信号受信部１５と、このリモコン信号受信部１５に接続された制御回路１６と、この制御回路１６に接続された前記駆動装置７とが配設されており、また、駆動装置７は、スポット照射光源部３と機械的に連結されている。点灯装置６は、制御回路１６、スポット照射光源部３及び間接照射光源部４と電気的に接続されている。そして、リモコン信号受信部１５は、リモコン送信器８からの信号を受信して動作するようになっており、これに基づき、スポット照射光源部３の回動制御やスポット照射光源部３及び間接照射光源部４の点灯制御を実行する。
【００３６】
次に、本実施形態の使用状態の動作を説明する。まず、リモコン送信器８を操作して、スポット照射光源部３及び間接照射光源部４を点灯する。この場合は、リモコン送信器８８からの信号がリモコン信号受信部１５、制御回路１６、点灯装置６へ送信され、スポット照射光源部３及び間接照射光源部４のＬＥＤ１０、１１が点灯する。スポット照射光源部３のＬＥＤ１０から出射される光は、配光制御部材３４の反射面部３４ａによって配光が制御されてカバー部材３５を透過して下方に向かい、下方の所定領域をスポット照明的に照射する。
【００３７】
一方、間接照射光源部４のＬＥＤ１１から出射される光は、反射板５の反射面５１に向かって放射され、その反射光が下方に一定の広がりをもって放射される。つまり、間接照射光源部４からの光は、器具本体１から直接的には放射されず、反射板５を介して間接光として、例えば、室内全般を照明するように放射される。したがって、本実施形態の照明器具によれば、スポット照明及び全般照明、いわゆるタスク照明とアンビエント照明の双方を実現することができる。
【００３８】
ここで、スポット照射光源部３は、出射光の指向性が強く、光源が輝度の高い点光源であるＬＥＤ１０であることも相俟って、グレアが生じやすい状況下にある。特に、この種光源と、光源の周囲、すなわち、背景との輝度の差が大きいとグレアの程度も増大することとなる。
【００３９】
しかしながら、本実施形態においては、スポット照射光源部３の周囲には、反射板５が設けられており、この反射板５には、間接照射光源部４から光が放射され、これによって、反射面５１の輝度が高まるので、スポット照射光源部３とその周囲との輝度の差を少なくすることができ、結果的にグレアを抑制することが可能となる。したがって、タスク照明とアンビエント照明の双方を実現する場合に生じる問題点であるグレアを抑制でき、タスク照明とアンビエント照明の双方を効果的に融合した照明器具を提供できるものである。
【００４０】
なお、反射手段としての反射板５は、別部材として設ける必要はなく、例えば、筐体２によって構成してもよい。要は、スポット照射光源部３の周囲に配設され、間接照射光源部４からの光を反射し、輝度を高めてスポット照射光源部３との輝度差を少なくする部材であればよい。
【００４１】
続いて、リモコン送信器８を操作して、スポット照射光源部３の光の照射方向を変える場合について説明する。スポット照射光源部３は、その駆動範囲、すなわち、回動範囲は、約１５０°の照射範囲内で自由に可変することができるようになっている。リモコン送信器８で所望の回動操作をすると、リモコン送信器８からの信号がリモコン信号受信部１５、制御回路１６、駆動装置７へ送信され、これによりモータが動作し、スポット照射光源部３が支軸部材３６を中心に所定角度回動し、所望の位置で停止する。これにより目的とする領域に光を照射することができ、スポット照明として光の照射方向を変えることができる機能を実現することができる。
【００４２】
また、スポット照射光源部３の点灯により、ＬＥＤ１０から熱が発生するが、この熱は基板３３を通じて放熱部材３２に伝熱され、主として放熱フィン３２ａによって放熱される。また、放熱フィン３２ａは、軸方向と直交する方向に設けられており、当該方向に溝が形成されているので対流が促進され、かつ一部が筐体２の外方に突出しているので冷却が効果的に行なわれる。
【００４３】
次に、図８及び図９を参照してスポット照射光源部３の光の照射状態について説明する。図８において、一般的なオフィスにおける照明器具の設置形態が示されている。床面から天井面までの距離を２．６ｍとし、照明器具の設置間隔を２ｍ程度とすると、照明器具Ａが隣の照明器具Ｂの直下に位置する机上Ｓを照射するには、約４５°の照射角度が必要となる。したがって、机上Ｓに最も近い照明器具の照射光が着席者本人やパーティション等の障害物に遮られる位置関係にある場合を想定すると、前記４５°の照射角度を確保して隣の照明器具Ｂの直下を照射することが必要となる。
【００４４】
このような前提において、図９に示すように、この種、スポット照明の光源の１／２ビーム角は、１０°〜３０°であり、前記４５°の照射角度を確保して適切な照度を得るには、光源の中心から片側で４５°＋１５°（１／２ビーム角を３０°として片側で半分の１５°）＝６０°の照射範囲が必要となる。したがって、両側で少なくとも１２０°の照射範囲が必要であり、好ましくは１２０°を超える照射範囲が望ましい。
【００４５】
本実施形態においては、上記の条件をカバーするため、配光制御部材３４の反射面部３４ａは、約６０°の角度で拡開しており（１／２ビーム角３０°をカバー）、また、照射範囲は、スポット照射光源部３の回動によって約１５０°の範囲（照射範囲１２０°をカバー、図示片側で破線ａの範囲）に設定されている。また、この場合、スポット照射光源部３からの光の照射が遮光されないように、つまり、照射範囲が狭められないように、筐体２、反射板５及び間接照射光源部４等の構成部品が配設されている。
【００４６】
次に、図１０及び図１１を参照して照明器具の輝度の状態について説明する。図１０及び図１１は、照明器具の断面図及び照明器具を下方から見た場合の輝度のイメージを表したものである。前述したように、スポット照射光源部３は、光源が輝度の高い点光源であるＬＥＤ１０であるため、グレアが生じやすく、これを軽減するためＬＥＤ１０とその背景との輝度の差を少なくする必要がある。
【００４７】
この場合、図１１（ａ）に示すように、円筒状をなすスポット照射光源部３の軸方向と直交する断面において、円筒の最大径の部分まで反射板５の開口部５２から露出させてしまうと、図１１（ｂ）に示すように、スポット照射光源部３の照射開口部３１ａに沿って外側に影が生じ、暗部となって輝度が不連続となる。その結果、スポット照射光源部３とその周囲との輝度差が大きくなり、グレアが増大する傾向となる。
【００４８】
しかしながら、本実施形態においては、図１０（ａ）に示すように、スポット照射光源部３の円筒の最大径の部分は、反射板５の開口部５２から露出しないように配設されているので、図１０（ｂ）に示すように、スポット照射光源部３の照射開口部３１ａに沿って暗部は顕著には生じない。そのため、スポット照射光源部３とその周囲との輝度差を少なくすることができ、グレアを軽減することができる。
【００４９】
続いて、図１２を参照してスポット照射光源部３及び間接照射光源部４の光源であるＬＥＤ１０、１１の配列状態について説明する。図は、配列状態の一部を模式的に示した平面図である。まず、左図において、中央のスポット照射光源部３の基板３３及び両側の間接照射光源部４の基板４１には、白色タイプと電球色タイプのＬＥＤ１０、１１が交互に配列されている（図示上、白色タイプを破線、電球色タイプを実線で示している）。
【００５０】
仮に、スポット照射光源部３と間接照射光源部４とに実装されるＬＥＤ１０、１１の個数が等しい場合に、同じ配列ピッチで白色タイプと電球色タイプのＬＥＤ１０、１１を交互に配列してしまうと、同色タイプのＬＥＤ１０、１１が相対する位置関係となり、それぞれの発光色が強調され、混光され難く、均斉度が低下することとなる。
【００５１】
これに対し、本実施形態では、スポット照射光源部３に実装するＬＥＤ１０の個数と間接照射光源部４に実装するＬＥＤ１１の個数とを異ならしめ、すなわち、ＬＥＤ１０は２４個であり、ＬＥＤ１１は６４個であり、これらにおいて、白色タイプと電球色タイプとが交互に配列されている。このため、図１２（ａ）に示すように、配列ピッチが異なることも相俟って基本的には、同色タイプのＬＥＤ１０、１１同士が相対する位置関係にはならない。したがって、白色と電球色とが混光され、自然光に近い状態となり、均斉度も向上させることができる。
【００５２】
また、同色タイプのＬＥＤ１０、１１が相対する位置関係にはならない形態としては、図１２（ｂ）及び（ｃ）に示す配列を適用することができる。図１２（ｂ）は、異なる発光色タイプのＬＥＤ１０、１１を相対するように配列したものである。図１２（ｃ）は、スポット照射光源部３に配列された相互のＬＥＤ１０の間に、間接照射光源部４に配列されたＬＥＤ１１が配置されるように配列したものである。したがって、これらの形態によれば、相互の白色と電球色とが混光されるようになり、自然光に近い状態で、均斉度も向上できる。
【００５３】
以上のように本実施形態によれば、（１）スポット照明及び全般照明、いわゆるタスク照明とアンビエント照明の双方を実現することができ、また、グレアを抑制することができる。（２）スポット照射光源部３の光の照射方向を変えることができるので、スポット照明として容易に目的とする領域に光を照射することができる。（３）スポット照射光源部３からの光の照射が遮光されないように、筐体２、反射板５及び間接照射光源部４等の構成部品が配設されているので、有効に照射範囲を確保することができる。（４）スポット照射光源部３の円筒の最大径の部分は、反射板５の開口部５２から露出しないように配設されているので、グレアを軽減することが可能となる。（５）同色タイプのＬＥＤ１０、１１同士が相対する位置関係にはならないように配列されているので、混光が促進され、均斉度を向上させることができる。
【００５４】
次に、本発明の第２の実施形態に係る照明器具について図１３を参照して説明する。なお、第１の実施形態と同一又は相当部分には、同一符号を付し重複した説明は省略する。本実施形態では、第１の実施形態におけるスポット照射光源部３に拡散部材３７を設けたものである。
【００５５】
拡散部材３７は、半透過性を有するアクリル材料から形成され、断面略三角形状をなし、配光制御部材３４における反射面部３４ａの下側にＬＥＤ１０と対向し、かつ軸方向に沿って架設するように設けられている。したがって、ＬＥＤ１０から出射される光は、拡散部材３７を透過し、また、反射面部３４ａに反射され、さらに、一部の光は拡散部材３の傾斜面に反射されて再び反射面部３４ａに反射されて下方に放射される。
【００５６】
以上のように本実施形態によれば、拡散部材３がＬＥＤ１０と対向して設けられているので、下方からＬＥＤ１０を直視した場合でもグレアを軽減でき、ＬＥＤ１０及び基板３３に形成された図示しない配列パターンを視認できないように構成したり、視認し難く構成したりすることができる。また、光の放射も効率的に行うことができる。
【００５７】
なお、拡散部材は、三角形状に限るものではなく、例えば、平板状のものであってもよく、特段その形状が限定されるものではない。また、拡散性を補強するため適宜表面に凹凸部を形成するようにしてもよい。
【００５８】
次に、本発明の第３の実施形態に係る照明器具について図１４及び図１５を参照して説明する。なお、第１の実施形態と同一又は相当部分には、同一符号を付し重複した説明は省略する。本実施形態では、スポット照射光源部３を回動して光の照射方向を変えた場合においても、照射面の照度が一定となるように構成したものである。
【００５９】
図１４に示すように、照明器具が天井面に設置され、スポット照射光源部３によって、床面が照射されている。この場合、スポット照射光源部３を反時計方向に所定角度回動して光の照射方向を変えると、照射面が例えば、照射面Ａから照射面Ｂへと変わる。そうすると、照射面Ａと照射面Ｂとは、スポット照射光源部３からの距離や角度が異なるため、その照度が変化してしまうこととなる。
【００６０】
本実施形態では、スポット照射光源部３の光の照射方向が変わった場合においても照射面の照度が一定となるように制御手段を設けている。この動作を図１５を参照して説明する。まず、電源を投入してスタートさせると、制御手段は、スポット照射光源部３の照射角度、すなわち、回動角度を検出する（Ｓ１）。この検出データに基づいて、出力テーブルを参照し対応する出力データを取り出す（Ｓ２）。なお、出力テーブルには、予め回動角度に応じて照射面の照度が一定となるような光出力データが格納されている。続いて、出力データが点灯装置６に送信され、スポット照射光源部３のＬＥＤ１０に出力されてＬＥＤ１０が点灯する（Ｓ３）。次いで、制御手段は、スポット照射光源部３の照射角度を検出する（Ｓ４）。そして、照射角度を前回の値と比較し（Ｓ５）、一致している場合には、変化なしとして再び同じ出力でＬＥＤ１０の点灯を継続する（Ｓ３）。一方、一致していない場合には、変化ありとして出力テーブルを参照し対応する出力データを取り出し（Ｓ２）、照射角度に応じた光出力でＬＥＤ１０を点灯する（Ｓ３）。
【００６１】
なお、照射角度の検出の度に、出力テーブルを参照するようなシーケンスとしてもよい。すなわち、照射角度検出（Ｓ１）−出力テーブル参照（Ｓ２）−出力（Ｓ３）−照射角度検出（Ｓ１）・・・と循環させるようにしてもよい。
【００６２】
以上のように本実施形態によれば、スポット照射光源部３を回動して光の照射方向を変えた場合においても、照射面の照度が一定となるように制御することが可能となる。
【００６３】
次に、本発明の第４の実施形態に係る照明器具について図１６乃至及び図２０を参照して説明する。なお、第１の実施形態と同一又は相当部分には、同一符号を付し重複した説明は省略する。本実施形態では、スポット照射光源部３における配光制御部材３４として配光制御レンズ３４ｂを設けたものである。
【００６４】
図１６及び図１７に示すように、スポット照射光源部３における配光制御部材３４は、基台３４ｃと、この基台３４ｃに嵌入された複数の配光制御レンズ３４ｂとを備えている。配光制御レンズ３４ｂは、透光性材料で椀状に形成され、中央部にＬＥＤ１０と対向する窪みを有している。そして、この配光制御部材３４は、略円筒状の本体３１内に収納され、本体３１と一体化されている。一方、アルミニウム等の熱伝導が良好な材料で形成された平板状の放熱部材３２には、複数のＬＥＤ１０が直線状に配列されて実装された基板３３が密着して取付けられている。また、このスポット照射光源部３には、光源部３を回動して光の照射方向を変えるために駆動装置７と機械的に連結される回転軸である支軸部材３６が設けられている。
【００６５】
因みに、本実施形態においては、配光制御レンズ３４ｂとＬＥＤ１０とは、１：１の関係で対向するようになっている。また、配光制御レンズ３４ｂによる配光は、図１８に示すような状態となる。ＬＥＤ１０から出射した光は、配光制御レンズ３４ｂの窪みを通過し屈折し、また、椀状の曲面に反射される等によって屈折し、配光制御されて外方に放射されるようになっている。
【００６６】
このように構成されたスポット照射光源部３は、全体が回動可能であるとともに、本体３１と配光制御部材３４とは、放熱部材３２と基板３３とに対して、軸方向にスライドして移動可能に構成されている。つまり、本体３１と配光制御部材３４とは、軸方向のスライド移動に関して一体化されているものであり、したがって、ＬＥＤ１０に対して配光制御レンズ３４ｂが偏心移動可能となっているものである。なお、本体３１と配光制御部材３４とは、一体化されず、配光制御部材３４のみ軸方向にスライド移動できるようにしてもよい。
【００６７】
上記を踏まえ、図１９を参照してスポット照射光源部３を複数線状に連結した例を説明する。本例では、スポット照射光源部３を３つ連結したものであり、連結できるような構成となっている。そして、各スポット照射光源部３は、個別に回動可能（図示矢印Ａ）であり、また、個別に軸方向に偏心移動可能（図示矢印Ｂ）となっている。このような構成によれば、照明器具の設置状況に応じて適宜連結数を選択することが可能となる。
【００６８】
次に、図２０を参照してＬＥＤ１０に対して配光制御レンズ３４ｂを軸方向にスライドし、偏心移動した場合の偏心距離と照射面における光度との関係を説明する。グラフにおいて、横軸は、光源としてのＬＥＤ１０を中心として下方へ向かう角度であり、縦軸は、その角度に対する特定のポイントにおける光度である。そして、ＬＥＤ１０に対して配光制御レンズ３４ｂの中心を０〜１．４ｍｍまで段階的に偏心移動させた場合の配光の変化を調べたものである。例えば、配光制御レンズ３４ｂを１．２ｍｍ偏心させた場合には、光度のピーク点は約９°の角度にずれることとなる。したがって、配光制御レンズ３４ｂを偏心移動させることにより、配光状態を変えることが可能であることが確認できる。
【００６９】
以上のように本実施形態によれば、配光制御部材３４として配光制御レンズ３４ｂを用いたので、スポット光を生成するために配光制御する場合、その深さ寸法、つまり、ＬＥＤ１０から照射開口部３１ａまでの寸法を小さくでき、スポット照射光源部３の薄形化が可能となる。また、配光制御レンズ３４ｂを偏心移動させることにより、配光状態を変えることが可能であり、必要性に応じた配光状態を得ることができる。さらに、スポット照射光源部３を複数連結できるような構成とすることにより、照明器具の設計の自由度を高めることができる。
【００７０】
なお、本実施形態における配光制御部材３４の偏心移動に関しては、配光制御レンズ３４ｂに替えて、第１の実施形態で示した反射面部３４ａを形成した配光制御部材３４を適用してもよい。
【００７１】
本発明は、上記実施形態の構成に限定されることなく、発明の要旨を逸脱しない範囲で種々の変形が可能である。上記実施形態では、スポット照射光源部３の照射方向を約１５０°の照射範囲内で自由に可変することができるものについて説明したが、予め可変角度を、例えば、下向き、右４５度、左４５度等、設定しておいてもよい。また、リモコン送信器８は、無線によるものに限らず、有線のものであってもよい。さらには、照射方向の可変は手動で行う構成であってもよい。
【００７２】
加えて、照明効果の多様化を実現するため、白色タイプと電球色タイプのＬＥＤ１０、１１を選択的に切換えて点灯できるようにしてもよく、また、スポット照射光源部３と間接照射光源部４とを選択的に切換えて点灯できるようにしてもよい。さらに、スポット照射光源部３のうち、例えば、１個のＬＥＤ１０を点灯できるようにして常夜灯の機能を付与してもよい。この場合も、照射方向を変えることにより、所望の場所を中心に照らすなど多様な変化が可能である。
【００７３】
また、照明器具を丸形に構成し、中央部にスポット照射光源部３を配設し、その周囲に間接照射光源部３を配設するようにしてもよく、さらにまた、光源としては、ＬＥＤに限らず、高輝度放電ランプやハロゲンランプ等を適用できる。
【符号の説明】
【００７４】
１・・・器具本体、３・・・スポット照射光源部、４・・・間接照射光源部、
５・・・反射手段（反射板）、１０、１１・・・光源（ＬＥＤ）、
３４・・・配光制御部材、３７・・・拡散部材、５２・・・反射手段の開口部
【図１】
2010205482.tif 000003
【図２】
2010205482.tif 000004
【図３】
2010205482.tif 000005
【図４】
2010205482.tif 000006
【図５】
2010205482.tif 000007
【図６】
2010205482.tif 000008
【図７】
2010205482.tif 000009
【図８】
2010205482.tif 000010
【図９】
2010205482.tif 000011
【図１０】
2010205482.tif 000012
【図１１】
2010205482.tif 000013
【図１２】
2010205482.tif 000014
【図１３】
2010205482.tif 000015
【図１４】
2010205482.tif 000016
【図１５】
2010205482.tif 000017
【図１６】
2010205482.tif 000018
【図１７】
2010205482.tif 000019
【図１８】
2010205482.tif 000020
【図１９】
2010205482.tif 000021
【図２０】
2010205482.tif 000022